(57)【要約】【課題】内容物の逆流を防止することができる充填装置、充填方法及び充填用針を提供する。【解決手段】充填装置１は、ポート１３，１４と少なくとも一対の側面１２Ｌ，１２Ｒを有する収容室１２とを備えた軟質容器１０に対し、ポート１３，１４を介して収容室１２の内部に内容物を充填する装置である。充填装置１は、軟質容器１０を固定する固定治具２と、収容室１２の一対の側面１２Ｌ，１２Ｒを互いに引き離す引き離し治具３と、を備える。引き離し治具３は、収容室１２の一対の側面１２Ｌ，１２Ｒを吸着する一対の吸盤３Ｌ，３Ｒを有する。【選択図】図２
2019131231.tif 000002
【特許請求の範囲】
【請求項１】
ポートと少なくとも一対の側面を有する収容室とを備えた軟質容器に対し、前記ポートを介して前記収容室の内部に内容物を充填する充填装置であって、
前記軟質容器を固定する固定治具、及び前記収容室の前記一対の側面を相対的に引き離す引き離し治具のうち、少なくとも一方を備えることを特徴とする充填装置。
【請求項２】
前記固定治具は、前記収容室の前記一対の側面に対応する一対の側壁部を有する箱状を呈し、
各側壁部には、前記引き離し治具が通り抜け可能な開口部が設けられている請求項１に記載の充填装置。
【請求項３】
前記固定治具は、前記軟質容器の前記ポートを挟持する一対の挟持部材を有する請求項１に記載の充填装置。
【請求項４】
前記固定治具は、前記軟質容器に設けられた貫通孔と係合する係合部を有する請求項１に記載の充填装置。
【請求項５】
前記固定治具は、前記軟質容器を挟持する少なくとも一対の挟持部材を有し、
前記一対の挟持部材のうち一方には前記軟質容器に設けられた貫通孔に挿入可能な凸部が設けられ、他方には前記凸部と嵌合する凹部が設けられている請求項１に記載の充填装置。
【請求項６】
前記引き離し治具は、前記収容室の前記一対の側面を吸着する一対の吸着部を有する請求項１〜５のいずれか一項に記載の充填装置。
【請求項７】
前記一対の吸着部は、中心位置がずれた状態で対向して配置されている請求項６に記載の充填装置。
【請求項８】
前記ポートが前記収容室の内部まで延設された場合において、前記一対の吸着部は、間に前記ポートが介在された状態で対向して配置されている請求項６に記載の充填装置。
【請求項９】
請求項１〜８のいずれか一項に記載の充填装置を用いた充填方法であって、
前記充填装置が前記固定治具と前記引き離し治具とを備えるとき、
前記固定治具に前記軟質容器を固定させる固定ステップと、
前記引き離し治具を利用して前記収容室の前記一対の側面を相対的に引き離す引き離しステップと、
前記ポートを介して前記収容室の内部に内容物を充填する充填ステップと、
を含むことを特徴とする充填方法。
【請求項１０】
内容物を充填するための充填用針であって、
内部に軸方向に延在する内容物流路が設けられた針本体と、前記内容物流路と連通する内容物吐出口が設けられた針先部とを備え、
前記針先部には、前記内容物流路を流れる内容物の流れ方向を前記軸方向に対して傾斜させるガイド壁部が設けられていることを特徴とする充填用針。
【請求項１１】
前記ガイド壁部は、前記軸方向に対して１５°〜３０°傾斜する請求項１０に記載の充填用針。
【発明の詳細な説明】
【技術分野】
【０００１】
本開示の実施形態は、軟質容器に内容物を充填するための充填装置、充填方法及び充填用針に関する。
【背景技術】
【０００２】
樹脂フィルムをヒートシールすることにより形成された軟質容器は、輸送効率の高さや環境負荷の少なさ等から、医薬品分野を始め、食品分野や化粧品分野等に広く使われている。このような軟質容器に内容物を充填する充填装置として、例えば特許文献１に記載されるものがある。この特許文献１には、軟質容器に設けられたノズル挿入空間の外周部分をその厚さ方向に引っ張る吸着パッドと、ノズル挿入空間の内部に挿入可能な充填ノズルとを備える充填装置が開示されている。ノズル挿入空間は、シール部に形成された開口部である（例えば、特許文献１の段落００２４、００３６、図２及び図６参照）。
【先行技術文献】
【特許文献】
【０００３】
【特許文献１】特開２０１７−２４７２７号公報
【発明の概要】
【発明が解決しようとする課題】
【０００４】
内容物が充填される前の軟質容器では、内部に気体が入っていないので、樹脂フィルム同士が静電気等でくっついて密着する状態になっている。加えて、軟質容器が柔らかい樹脂フィルムにより形成されるので、容器全体が撓みやすい。このような状態で内容物を充填すると、充填された内容物が逆流する問題が生じやすい。
【０００５】
本開示の実施形態は、上記の点に鑑みてなされたものであり、内容物の逆流を防止することができる充填装置、充填方法及び充填用針を提供することを目的とする。
【課題を解決するための手段】
【０００６】
本開示の実施形態に係る充填装置は、ポートと少なくとも一対の側面を有する収容室とを備えた軟質容器に対し、前記ポートを介して前記収容室の内部に内容物を充填する充填装置であって、前記軟質容器を固定する固定治具、及び前記収容室の前記一対の側面を相対的に引き離す引き離し治具のうち、少なくとも一方を備えることを特徴としている。
【０００７】
本開示の一実施形態に係る充填装置において、前記固定治具は、前記収容室の前記一対の側面に対応する一対の側壁部を有する箱状を呈し、各側壁部には、前記引き離し治具が通り抜け可能な開口部が設けられていることが好ましい。
【０００８】
本開示の一実施形態に係る充填装置において、前記固定治具は、前記軟質容器の前記ポートを挟持する一対の挟持部材を有することが好ましい。
【０００９】
本開示の一実施形態に係る充填装置において、前記固定治具は、前記軟質容器に設けられた貫通孔と係合する係合部を有することが好ましい。
【００１０】
また、本開示の一実施形態に係る充填装置において、前記固定治具は、前記軟質容器を挟持する少なくとも一対の挟持部材を有し、前記一対の挟持部材のうち一方には前記軟質容器に設けられた貫通孔に挿入可能な凸部が設けられ、他方には前記凸部と嵌合する凹部が設けられていることが好ましい。
【００１１】
また、本開示の一実施形態に係る充填装置において、前記引き離し治具は、前記収容室の前記一対の側面を吸着する一対の吸着部を有することが好ましい。
【００１２】
更に、本開示の一実施形態に係る充填装置において、前記一対の吸着部は、中心位置がずれた状態で対向して配置されていることが好ましい。
【００１３】
更に、本開示の一実施形態に係る充填装置において、前記ポートが前記収容室の内部まで延設された場合において、前記一対の吸着部は、間に前記ポートが介在された状態で対向して配置されていることが好ましい。
【００１４】
本開示の実施形態に係る充填方法は、上述の充填装置を用いた充填方法であって、前記充填装置が前記固定治具と前記引き離し治具とを備えるとき、前記固定治具に前記軟質容器を固定させる固定ステップと、前記引き離し治具を利用して前記収容室の前記一対の側面を相対的に引き離す引き離しステップと、前記ポートを介して前記収容室の内部に内容物を充填する充填ステップと、を含むことを特徴としている。
【００１５】
本開示の実施形態に係る充填用針は、内容物を充填するための充填用針であって、内部に軸方向に延在する内容物流路が設けられた針本体と、前記内容物流路と連通する内容物吐出口が設けられた針先部とを備え、前記針先部には、前記内容物流路を流れる内容物の流れ方向を前記軸方向に対して傾斜させるガイド壁部が設けられていることを特徴としている。
【００１６】
本開示の一実施形態に係る充填用針において、前記ガイド壁部は、前記軸方向に対して１５°〜３０°傾斜することが好ましい。
【発明の効果】
【００１７】
本開示によれば、内容物の逆流を防止することができる。
【図面の簡単な説明】
【００１８】
【図１】軟質容器を示す正面図である。
【図２】第１実施形態に係る充填装置を示す斜視図である。
【図３】（ａ）は図２のＸ−Ｘ線に沿う断面図であり、（ｂ）は引き離し状態を示す断面図である。
【図４】充填装置の固定治具を示す斜視図である。
【図５】吸盤の中心位置がずれた状態を示す断面図である。
【図６】充填装置の変形例を示す断面図である。
【図７】第２実施形態に係る充填装置を示す斜視図である。
【図８】図７のＹ−Ｙ線に沿う断面図である。
【図９】第３実施形態に係る充填装置を示す斜視図である。
【図１０】第４実施形態に係る充填装置を示す斜視図である。
【図１１】第５実施形態に係る充填装置を示す斜視図である。
【図１２】第６実施形態に係る充填装置を示す斜視図である。
【図１３】第６実施形態に係る充填装置を示す分解斜視図である。
【図１４】第７実施形態に係る充填装置を示す分解斜視図である。
【図１５】第８実施形態に係る充填装置を示す分解斜視図である。
【図１６】第８実施形態に係る充填装置を示す断面図である。
【図１７】第９実施形態に係る充填装置を示す分解斜視図である。
【図１８】第９実施形態に係る充填装置を示す模式断面図である。
【図１９】軟質容器の変形例を示す正面図である。
【図２０】図１９のＺ−Ｚ線に沿う断面図である。
【図２１】軟質容器の変形例を示す斜視図である。
【図２２】粘着面を有する引き離し治具を説明するための図である。
【図２３】充填用針の構造を示す図である。
【発明を実施するための形態】
【００１９】
以下、図面を参照して本発明に係る充填装置の実施形態を説明する。図面の説明において同一の要素には同一符号を付し、重複説明は省略する。
【００２０】
充填装置の説明に先たち、充填装置の適用対象である軟質容器の構造について説明する。図１は軟質容器を示す正面図である。図１に示すように、軟質容器１０は、内容物を収納するための軟質バッグであり、例えば同じ大きさを有する矩形状の透明な樹脂フィルム（樹脂シートともいう）を２枚重ねて、内部に内容物を収容するための収容室１２を形成するように、樹脂フィルムの周縁部同士を四辺に亘ってヒートシール（熱溶着ともいう）することによって形成されている。なお、ここでの軟質容器とは、容器全体が撓みやすく、それ自体では直立させることができない容器を意味する。
【００２１】
このため、軟質容器１０の四辺にわたって、収容室１２を取り囲むシール部１１が形成されている。シール部１１は、収容室１２に対して上側シール部１１ａ、下側シール部１１ｂ、左側シール部１１ｃ及び右側シール部１１ｄに分けられている。上側シール部１１ａ及び下側シール部１１ｂは、他のシール部と比べて幅が比較的大きくなっている。収容室１２は、一対の側面１２Ｌ，１２Ｒを有する。
【００２２】
上述の樹脂フィルムに用いられる材料としては、例えば高密度ポリエチレン（ＨＤＰＥ）、ポリメチルメタクリレート（ＰＭＭＡ）、ポリカーボネート（ＰＣ）、ポリスチレン（ＰＳ）、ポリエチレンテレフタレート（ＰＥＴ）、ポリプロプレン（ＰＰ）、ポリエチレン（ＰＥ）、ポリエチレンナフタレート（ＰＥＮ）、シクロオレフィンポリマー（ＣＯＰ）、シクロオレフィンコポリマー（ＣＯＣ）、ポリアクリロニトリル（ＰＡＮ）などが挙げられる。
【００２３】
軟質容器１０に充填される内容物としては、例えば食品関係の液体と医薬関係の液体が考えられる。具体的には、食品関係の液体としては、飲料や調味料が挙げられる。一方、医薬関係の液体としては、生理食塩水等の電解質輸液、ブドウ糖等の糖質注射液、血液製剤、抗生物質、抗体等の蛋白質性医薬品、低分子蛋白質、ホルモン等のペプチド性医薬品、核酸医薬品、細胞医薬品、各種感染症を予防するワクチン、ステロイド剤、インスリン、抗がん剤、蛋白質分解酵素阻害剤、鎮痛剤、解熱鎮痛消炎剤、麻酔剤、脂肪乳剤、血圧降下剤、血管拡張剤、ヘパリン塩化ナトリウムや乳酸カリウム等の電解質補正用注射液、ビタミン剤、造影剤等が挙げられる。
【００２４】
図１に示すように、軟質容器１０は、２つのポート１３，１４を備えている。ポート１３，１４は、収容室１２を構成する樹脂フィルムよりも硬いプラスチック材料によって円筒状に形成され、上側シール部１１ａに取り付けられている。ポート１３，１４の一端部は、上側シール部１１ａを挿通して収容室１２の内部と連通し、他端部は外方に突出し密閉栓１５によって塞がれている。ポート１３及びポート１４は、軟質容器１０の上下方向に延びる中心軸に対して左右対称に配置されている。ポート１３及びポート１４のうち、一方を内容物の充填用とし、他方を内容物の排出用としても良く、又は２種類の薬液を充填する場合にそれぞれの薬液充填用として使い分けても良い。
【００２５】
密閉栓１５は、ポート１３，１４の外周から突出するように、ポート１３，１４の外径よりも大きく形成されている。この密閉栓１５は、収容室１２の内部に内容物が充填された後にポート１３，１４の密閉に用いられるものであり、内容物が充填される前の状態ではポート１３，１４に取り付けられていないが、ポート１３，１４に対する密閉栓１５の位置をより分かりやすくするために、全ての図面においては密閉栓１５が取り付けられた状態を示す。
【００２６】
＜第１実施形態＞
図２は第１実施形態に係る充填装置を示す斜視図であり、図３（ａ）は図２のＸ−Ｘ線に沿う断面図であり、図３（ｂ）は引き離し状態を示す断面図である。上述したようにポート１３，１４に対する密閉栓１５の位置をより分かりやすくするために、図２においては密閉栓１５がポート１３，１４に取り付けられた状態を示しているが、実際には内容物が充填されるまでは密閉栓１５が取り付けられておらず、収容室１２は吸盤３Ｌ，３Ｒの引張（後述する）で内部空間が拡げられて空気が自由に流入できる状態となっている。そして、内容物が充填された後に、密閉栓１５をポート１３，１４に取り付けることでこれらのポート１３，１４を密閉する。
【００２７】
本実施形態の充填装置１は、軟質容器１０の収容室１２の内部に内容物を充填するための装置であって、軟質容器１０を固定する固定治具２と、収容室１２の側面１２Ｌ，１２Ｒを互いに引き離す引き離し治具３と、収容室１２の内部に内容物を充填する充填用針４とを備えている。なお、収容室１２の側面１２Ｌ，１２Ｒは、軟質容器１０の側面のうちシール部１１を除いた部分であり、すなわち上側シール部１１ａ、下側シール部１１ｂ、左側シール部１１ｃ及び右側シール部１１ｄによって囲まれた部分である。
【００２８】
図４は充填装置の固定治具を示す斜視図である。固定治具２は、軟質容器１０をなるべく直立させた状態で収納できるように扁平箱状に形成されており、充填前の軟質容器１０を収納可能、且つ内容物の充填によって軟質容器１０が膨らんだ状態になっても取り外し可能な空間を有する。この固定治具２は、上方に開口しており、収容室１２の側面１２Ｌ，１２Ｒに対応する一対の側壁部２１，２２を有する。側壁部２１，２２の中央位置には、収納される軟質容器１０の側面１２Ｌ，１２Ｒの一部を露出させる開口部２１ａ，２２ａが設けられている。この固定治具２は、金属製又は樹脂製である。そして、金属製の場合、軟質容器１０へのダメージを避けるために、少なくとも軟質容器１０に接する部分に柔らかい樹脂材料を用いることが好ましい。なお、開口部２１ａ，２２ａは必ずしも側壁部２１，２２の中央位置に設ける必要がなく、少なくとも収容室１２の側面１２Ｌ，１２Ｒを露出できる位置であれば中央位置以外に設けても良い。
【００２９】
引き離し治具３は、一対の吸盤（吸着部）３Ｌ，３Ｒによって形成されている。吸盤３Ｌは、所定の厚さを有する円盤状を呈しており、固定治具２の側壁部２１に設けられた開口部２１ａを通り抜けるように、開口部２１ａより小さく形成されている。同様に、吸盤３Ｒも、所定の厚さを有する円盤状を呈しており、固定治具２の側壁部２２に設けられた開口部２２ａを通り抜けるように、開口部２２ａより小さく形成されている。
【００３０】
吸盤３Ｌと吸盤３Ｒとは、それぞれ樹脂材料で形成されており、中心位置が重なるよう（言い換えれば、中心位置が一致するように）に対向して配置されている。これらの吸盤３Ｌ，３Ｒは、図示しない駆動機構にそれぞれ取り付けられ、該駆動機構の駆動によって軟質容器１０の側面１２Ｌ，１２Ｒに対して接近又は離間するようにされている。なお、ここでの中心位置は、吸盤の吸着面の法線方向からの平面視において、吸盤の吸着面の輪郭形状の中心の位置を指す。
【００３１】
このように構成された充填装置１を用いた充填方法は、固定治具２に軟質容器１０を固定させる固定ステップと、引き離し治具３を利用して軟質容器１０の側面１２Ｌ，１２Ｒを互いに引き離す引き離しステップと、軟質容器１０のポート１３，１４を介して収容室１２の内部に内容物を充填する充填ステップと、を含む。
【００３２】
具体的には、固定ステップでは、軟質容器１０をポート１３，１４が上に向くように固定治具２の開口から固定治具２の内部に挿入する。
【００３３】
固定ステップに次ぐ引き離しステップでは、上述の駆動機構を利用し、吸盤３Ｌを固定治具２の側壁部２１に設けられた開口部２１ａを通り抜けて軟質容器１０の側面１２Ｌに押し付け、吸盤３Ｒを側壁部２２に設けられた開口部２２ａを通り抜けて軟質容器１０の側面１２Ｒに押し付ける。ここで、吸盤３Ｌ，３Ｒは中心位置が重なるように対向して配置されるので、互いに押し合うことにより、吸盤３Ｌは側面１２Ｌに吸着され、吸盤３Ｒは側面１２Ｒに吸着される（図３（ａ）参照）。
【００３４】
続いて、上述の駆動機構を利用して吸盤３Ｌを軟質容器１０の側面１２Ｌから、吸盤３Ｒを側面１２Ｒから離れるようにそれぞれ引っ張る。このとき、吸盤３Ｌと吸盤３Ｒとの位置を相対的にずらすように、横方向にスライドしてから或いはスライドしながらこれらの吸盤を引っ張ることが好ましい。このようにすれば、対向する吸盤３Ｌ，３Ｒ同士の押し合いによって吸盤３Ｌ，３Ｒの間に真空状態になったとしても、スライドすることで真空状態が解除されるので、吸盤３Ｌ及び吸盤３Ｒを容易に引き離すことができる。なお、スライドは、吸盤３Ｌ及び吸盤３Ｒのうち一方のみ実施しても良く、双方で実施しても良い。
【００３５】
このとき、吸盤３Ｌが側面１２Ｌ、吸盤３Ｒが側面１２Ｒにそれぞれ吸着されるので、側面１２Ｌ，１２Ｒ同士が引き離れて収容室１２の内部空間を拡げることができる（図３（ｂ）参照）。なお、側面１２Ｌ，１２Ｒ同士を引き離す度合は、軟質容器１０を構成する樹脂フィルムにダメージを与えない範囲内で設定されている。また、ここでは、上述の駆動機構に代えて手作業による吸盤３Ｌ，３Ｒの操作を実施しても良い。
【００３６】
引き離しステップに次ぐ充填ステップでは、充填用針４をポート１３，１４から収容室１２の内部の所定の深さまで挿入した状態で、該充填用針４を介して内容物を収容室１２の内部に充填する。なお、内容物を充填する前に、充填用針４を介して収容室１２の内部に空気等の気体を先に充填して良い。このようにすれば、上述の引き離しステップに加えて気体の充填で収容室１２の内部空間を更に拡げることができる。
【００３７】
充填ステップ終了後、充填用針４を引き抜いた後に、密閉栓１５を使ってポート１３，１４を密閉する。続いて、吸盤３Ｌ，３Ｒを側面１２Ｌ，１２Ｒから取り外し、更に内容物充填済みの軟質容器１０を固定治具２から取り外す。
【００３８】
本実施形態において、密閉栓１５がポート１３，１４の外周から突出して形成された軟質容器１０を挙げて説明するが、軟質容器１０は必ずしも密閉栓１５を有する必要がない。そして、密閉栓１５を有さない軟質容器におけるポート１３，１４の密閉方法としては、例えばポート１３，１４を長く形成して、該ポート１３，１４の先端部を潰してヒートシールすることにより密閉する方法、ポート１３，１４の内部に栓を入れて密閉する方法、ポート１３，１４の端部をキャップ等で密閉する方法等が挙げられる。
【００３９】
本実施形態の充填装置１では、軟質容器１０を固定するための固定治具２を備えるので、軟質容器１０を固定治具２に固定させることで、充填作業をよりスムーズに行うことができるとともに、撓みでポートの位置ずれや充填用針の位置ずれに起因した充填ミスの発生及び内容物漏れの発生を防止することができる。加えて、引き離し治具を用いて軟質容器１０の側面１２Ｌ，１２Ｒ同士を引き離し、軟質容器１０の収容室１２の内部空間を拡げることで、充填される内容物がスムーズに収容室１２の内部に充填され、内容物の逆流を防止することができる。
【００４０】
また、引き離し治具３を用いて軟質容器１０の側面１２Ｌ，１２Ｒ同士を引き離し、収容室１２の内部空間を拡げることにより、充填用針４をポート１３，１４から収容室１２の内部に挿入する際に、充填用針４が樹脂フィルムとの接触を抑制することができる。その結果、充填用針４と樹脂フィルムとの接触に起因する樹脂フィルムへのダメージ、接触による粉塵や異物の発生等を抑制することができる。しかも、この場合、充填用針４を樹脂フィルムに接触せずに収容室１２の内部の深い位置まで挿入することができるので、充填時の泡立ちの発生を抑制する効果も期待できる。
【００４１】
なお、本実施形態では、吸盤３Ｌと吸盤３Ｒとは中心位置が重なるように対向して配置されるため、吸盤３Ｌ，３Ｒ同士の押し合いによって吸盤３Ｌ，３Ｒの間に真空状態になりやすい。その結果、吸盤３Ｌ，３Ｒ同士がくっつきやすいので、吸盤で軟質容器１０の側面１２Ｌ，１２Ｒを引き離す際に引き離し難くなる可能性がある。そこで、例えば図５に示すように、吸盤３Ｌ及び吸盤３Ｒを中心位置がずれた状態で対向して配置させることで、吸盤３Ｌ，３Ｒの間に真空状態の発生を防止し、吸盤で軟質容器１０の側面１２Ｌ，１２Ｒを引き離しやすくなる。吸盤３Ｌと吸盤３Ｒとの中心位置をずらすときに、上下方向、左右方向、或いは斜め方向に沿って行っても良い。
【００４２】
一方、吸盤３Ｌと吸盤３Ｒとの中心位置を大きくずらすと、対向する吸盤同士の押し合う力が小さくなるので、吸盤３Ｌ，３Ｒと軟質容器１０の側面１２Ｌ，１２Ｒとの吸着ができなくなる可能性がある。吸盤同士の押し合いによる吸着の実現及び軟質容器１０の側面１２Ｌ，１２Ｒの引き離し易さを両立させるには、吸盤３Ｌ，３Ｒが円形状の場合、吸盤３Ｌ，３Ｒ同士の中心位置の間隔は吸盤３Ｌ，３Ｒの半径より小さいことが好ましい。一方、円形状以外の場合、吸盤３Ｌ，３Ｒ同士を中心位置が重なるように対向して配置した状態における任意に選択した重なり長さをＸとしたとき、吸盤３Ｌ，３Ｒ同士の中心位置の間隔はＸ／２よりも小さいことが好ましい。
【００４３】
また、本実施形態の充填装置１について、様々な変形例が考えられる。例えば図６（ａ）に示す変形例では、引き離し治具３は吸盤３Ｌ及び吸盤３Ｒをそれぞれ２つずつ有する。ここで、吸盤３Ｌ，３Ｒの数はそれぞれ３つ以上であっても良い。更に、側面１２Ｌを吸着する吸盤３Ｌの数と側面１２Ｒを吸着する吸盤３Ｒの数とは、異なっても良い。このように複数の吸盤を用いた場合、吸盤のサイズを小さくすることができるので、特に軟質容器１０の側面１２Ｌ，１２Ｒにラベルやシール等が貼られた場合に好適である。例えばラベルやシールに触れないようにラベルやシールのない場所に複数の吸盤３Ｌ，３Ｒを配置することにより、側面１２Ｌ，１２Ｒを吸着する力を確保しつつ、吸盤の吸着によるラベルやシールの汚れの発生を防止することができる。
【００４４】
また、図６（ｂ）に示す変形例では、引き離し治具３は吸盤３Ｒのみを有する。この場合には、側壁部２１に開口部２１ａを設けなくても良い。なお、ここでは、引き離し治具３は吸盤３Ｌのみを有して良い。また、吸盤の形状は、円形のほか、楕円形、三角形を含む多角形であっても良い。
【００４５】
また、本実施形態の引き離し治具３としては、吸盤のほかに、吸着部とホースを介して吸着部に接続されるポンプやシリンジとを有するものであっても良い。この場合、ポンプやシリンジで吸着部と軟質容器１０の側面１２Ｌ，１２Ｒとの間の空気を抜くことにより側面１２Ｌ，１２Ｒを吸着でき、更に吸着部と軟質容器１０の側面１２Ｌ，１２Ｒとの間の空気を送ることにより吸着部を側面１２Ｌ，１２Ｒから簡単に外すことができる。
【００４６】
更に、本実施形態の引き離し治具３としては、吸盤のほかに、粘着面を有するものであっても良い。例えば、引き離し治具３は粘着面を有する場合、粘着面を介して軟質容器１０の側面１２Ｌ，１２Ｒに取り付けることができる。粘着面を外せば側面１２Ｌ，１２Ｒから取り外すことができる。
【００４７】
このような粘着面を有する引き離し治具は、少ない力で軟質容器１０の側面１２Ｌ，１２Ｒ同士を引き離すために、粘着面が円形、楕円形、三角形を含む多角形であることが好ましい。一方、粘着面を有する引き離し治具の場合は、形状を柔軟に変えることができるので、特に軟質容器１０の側面１２Ｌ，１２Ｒにラベルやシール等が貼られた場合に好適である。
【００４８】
例えば図２２に示すように、軟質容器１０の側面１２Ｌ，１２Ｒに内容物等の情報が印字されたラベル５５及びラベル５６が上下方向に離れて貼り付けられている。この場合、円形、楕円形又は多角形の引き離し治具３を用いると、引き離し治具３がラベル５５，５６の部分に触れ、印字部分を汚す可能性がある。そこで、ラベル５５とラベル５６との間の隙間形状に合わせた粘着面を有する引き離し治具３を用いることで、側面１２Ｌ，１２Ｒ同士を引き離す力を確保しつつ、ラベル５５，５６に触れないので、ラベル５５，５６の汚れ発生を防止できる。
【００４９】
＜第２実施形態＞
図７は第２実施形態に係る充填装置を示す斜視図であり、図８は図７のＹ−Ｙ線に沿う断面図である。本実施形態の充填装置１Ａは、固定治具２Ａの構造において上述の第１実施形態と異なるが、その他の構造は第１実施形態と同様である。
【００５０】
図７に示すように、本実施形態に係る充填装置１Ａの適用対象である軟質容器１０Ａにおいて、上側シール部１１ａには貫通孔１６が１つ設けられている。貫通孔１６は、円形状を呈しており、軟質容器１０Ａの上下方向に延びる中心軸に位置し、言い換えれば、ポート１３とポート１４との中間位置に配置されている。
【００５１】
一方、該軟質容器１０Ａを固定する固定治具２Ａは、平板状の基台２３と、該基台２３に立設された２本の支柱２４，２４と、支柱２４，２４の間に架設されて基台２３と平行する上側横梁２７及び下側横梁２８とを有する。上側横梁２７の中央位置には、軟質容器１０に設けられた貫通孔１６と係合可能な係合部２６が配置されている。係合部２６は、金属又は樹脂材料によりフック状に形成され、接着等で上側横梁２７に固定されている。そして、軟質容器１０Ａは、その貫通孔１６と固定治具２Ａの係合部２６との係合によって、固定治具２Ａに吊持された状態で固定されている。
【００５２】
このように構成された充填装置１Ａを用いた充填方法は、上述の第１実施形態と同様に、固定治具２Ａに軟質容器１０Ａを固定させる固定ステップと、引き離し治具３を利用して軟質容器１０Ａの側面１２Ｌ，１２Ｒを互いに引き離す引き離しステップと、軟質容器１０Ａのポート１３，１４を介して収容室１２の内部に内容物を充填する充填ステップと、を含む。固定ステップは、貫通孔１６を固定治具２Ａの係合部２６と係合させる点において、上述した第１実施形態の固定ステップと相違しているが、引き離しステップ及び充填ステップ等は、第１実施形態と同様のため、その説明を省略する。
【００５３】
本実施形態の充填装置１Ａによれば、上述の第１実施形態と同様な作用効果を得られる。また、本実施形態において、係合部２６がフック状である例を説明したが、係合部は軟質容器１０Ａの貫通孔１６と係合できるものであれば、フック状以外の形状であっても良く、例えば棒状であっても良い。また、軟質容器１０Ａの貫通孔１６の形状は円形のほか、楕円形、三角形等の多角形であっても良い。
【００５４】
＜第３実施形態＞
図９は第３実施形態に係る充填装置を示す斜視図である。本実施形態の充填装置１Ｂは、固定治具２Ｂに配置された係合部２６の数及び位置において、上述の第２実施形態と異なるが、その他の構造は第２実施形態と同様である。
【００５５】
具体的には、軟質容器１０Ｂにおいて、上側シール部１１ａと下側シール部１１ｂには貫通孔１６が１つずつ設けられている。これらの貫通孔１６は、略対角線上に配置されている。なお、上側シール部１１ａに設けられた貫通孔１６は、ポート１３及びポート１４のうち内容物充填用のポートに近い位置に配置されることが好ましい。このようにすれば、後に充填用針４をポートから収容室１２の内部に挿入する際に、挿入作業をよりスムーズに行える。
【００５６】
一方、該軟質容器１０Ｂを固定する固定治具２Ｂにおいて、軟質容器１０Ｂの２つの貫通孔１６の位置に合わせて、２本の支柱２４，２４のうち一方の支柱２４の上部に係合部２６、他方の支柱２４の下部に係合部２６がそれぞれ配置されている。そして、軟質容器１０Ｂは、その貫通孔１６と固定治具２Ｂの係合部２６との係合によって、固定治具２Ｂに吊持された状態で固定されている。
【００５７】
本実施形態の充填装置１Ｂによれば、上述の第２実施形態と同様な作用効果を得られるほか、上下方向に２箇所に亘って軟質容器１０Ｂを固定するので、第２実施形態と比べて軟質容器の１０Ｂをより安定した状態で固定することができる。
【００５８】
＜第４実施形態＞
図１０は第４実施形態に係る充填装置を示す斜視図である。本実施形態の充填装置１Ｃは、固定治具２Ｃに配置された係合部２６の数及び位置において、上述の第２実施形態と異なるが、その他の構造は第２実施形態と同様である。
【００５９】
具体的には、軟質容器１０Ｃにおいて、上側シール部１１ａの左右両端部には貫通孔１６が１つずつ設けられ、更に、下側シール部１１ｂの中央位置には貫通孔１６が１つ設けられている。該軟質容器１０Ｃを固定する固定治具２Ｃにおいて、軟質容器１０Ｃの３つの貫通孔１６の位置に合わせて、２本の支柱２４，２４の上部に係合部２６が１つずつ、下側横梁２８の中央位置に係合部２６が１つ配置されている。そして、軟質容器１０Ｃは、その貫通孔１６と固定治具２Ｃの係合部２６との係合によって、固定治具２Ｃに吊持された状態で固定されている。
【００６０】
本実施形態の充填装置１Ｃによれば、上述の第２実施形態と同様な作用効果を得られるほか、上下方向に３箇所に亘って軟質容器１０Ｃを固定するので、第２実施形態と比べて軟質容器の１０Ｃをより安定した状態で固定することができる。
【００６１】
＜第５実施形態＞
図１１は第５実施形態に係る充填装置を示す斜視図である。本実施形態の充填装置１Ｄは、固定治具２Ｄに配置された係合部２６の数及び位置において、上述の第２実施形態と異なるが、その他の構造は第２実施形態と同様である。
【００６２】
具体的には、軟質容器１０Ｄにおいて、上側シール部１１ａの左右両端部には貫通孔１６が１つずつ設けられ、下側シール部１１ｂの左右両端部には貫通孔１６が１つずつ設けられている。換言すれば、軟質容器１０Ｄの四隅部に貫通孔１６がそれぞれ１つずつ形成されている。該軟質容器１０Ｄを固定する固定治具２Ｄにおいて、軟質容器１０Ｄの４つの貫通孔１６の位置に合わせて、支柱２４，２４の上部及び下部にそれぞれ係合部２６が配置されている。そして、軟質容器１０Ｄは、その貫通孔１６と固定治具２Ｄの係合部２６との係合によって、固定治具２Ｄに吊持された状態で固定されている。
【００６３】
本実施形態の充填装置１Ｄによれば、上述の第２実施形態と同様な作用効果を得られるほか、上下左右方向に４箇所に亘って軟質容器１０Ｄを固定するので、第２実施形態と比べて軟質容器の１０Ｄをより安定した状態で固定することができる。
【００６４】
＜第６実施形態＞
図１２は第６実施形態に係る充填装置を示す斜視図であり、図１３は第６実施形態に係る充填装置を示す分解斜視図である。本実施形態の充填装置１Ｅは、固定治具２Ｅの構造において上述の第１実施形態と異なるが、その他の構造は第１実施形態と同様である。
【００６５】
具体的には、固定治具２Ｅは、軟質容器１０のポート１３，１４を挟持する一対の挟持板（挟持部材）５１，５２を有する。挟持板５１，５２は、相対的に接近又は離間できるように形成されている。図１３に示すように、挟持板５１には、ポート１３，１４に対応する位置に半円柱状の凹部５１ａ，５１ｂが設けられている。挟持板５２は、挟持板５１と対向して配置されている。該挟持板５２には、ポート１３，１４に対応する位置に半円柱状の凹部５２ａ，５２ｂが設けられている。
【００６６】
２本の挟持板５１，５２が接近して突き合わせられた状態では、挟持板５１に設けられた凹部５１ａと挟持板５２に設けられた凹部５２ａとで円柱状の空間を形成する。形成された円柱状の空間の直径は、ポート１３の外径より僅かに小さいことが好ましい。このようにすれば、ポート１３を大きく変形させずに挟持することができるので、後に充填用針４をポート１３に挿入する際の挿入作業に影響しない。また、２本の挟持板５１，５２が接近して突き合わせられた状態において、ポート１３に設けられた密閉栓１５は、挟持板５１，５２の上面から露出するように配置されることが好ましい。このようにすれば、ポート１３の外径より大きく形成された密閉栓１５が挟持板５１，５２の上面に当接するので、軟質容器１０をより安定した状態で固定することができる。なお、ポート１４に対応する挟持板５１の凹部５１ｂ及び挟持板５２の凹部５２ｂは、凹部５１ａ，５２ａと同じ構造を有するので、その重複説明を省略する。
【００６７】
このように構成された充填装置１Ｅを用いた充填方法は、上述の第１実施形態と同様に、固定治具２Ｅに軟質容器１０を固定させる固定ステップと、引き離し治具３を利用して軟質容器１０の側面１２Ｌ，１２Ｒを互いに引き離す引き離しステップと、軟質容器１０のポート１３，１４を介して収容室１２の内部に内容物を充填する充填ステップと、を含む。
【００６８】
固定ステップでは、まず、挟持板５１，５２を相対的に離間した状態で、軟質容器１０のポート１３，１４を一方の挟持板（例えば挟持板５１）の凹部５１ａ，５１ｂに入れる。このとき、ポート１３，１４の密閉栓１５が挟持板５１の上面と当接するので、作業者が手を添えなくても軟質容器１０を挟持板５１に仮支持される。続いて、他方の挟持板５２を挟持板５１と接近してこれらの挟持板５１，５２を突き合わせた状態で、更に図示しない締結部材等でこれらの挟持板５１，５２を固定締結することにより、軟質容器１０を固定治具２Ｅに固定する。なお、引き離しステップ及び充填ステップは、上述の第１実施形態と同様のため、その説明を省略する。
【００６９】
本実施形態の充填装置１Ｅによれば、上述の第１実施形態と同様な作用効果を得られるほか、軟質容器１０のポート１３，１４が挟持板５１，５２により挟持されるので、ポート１３，１４の位置ずれを抑制することができ、充填用針４をポート１３，１４内部への挿入作業をよりスムーズに行える。
【００７０】
また、本実施形態の固定治具２Ｅは、引き離し治具３の操作に影響を与えない前提で、例えば軟質容器１０の下側シール部１１ｂ、左側シール部１１ｃ及び右側シール部１１ｄを挟持する挟持部材を更に有しても良い。このようにすれば、軟質容器１０の撓みを抑制し、軟質容器１０を一層安定して固定することができる。
【００７１】
＜第７実施形態＞
図１４は第７実施形態に係る充填装置を示す分解斜視図である。本実施形態の充填装置１Ｆは、固定治具２Ｆの構造において上述の第６実施形態と異なるが、その他の構造は第６実施形態と同様である。
【００７２】
具体的には、軟質容器１０Ｆは、軟質容器１０と異なり、ポート１３のみを有する。ポート１３は、軟質容器１０Ｆの上下方向に延びる中心軸からずれた位置（図１４においては左側にずれた位置）に配置されている。これに対応し、固定治具２Ｆを構成する挟持板５１，５２には凹部５１ａ，５２ａのみが形成されている。
【００７３】
本実施形態の充填装置１Ｆによれば、上述の第６実施形態と同様な作用効果を得られるほか、更に以下の作用効果を期待できる。すなわち、充填装置１Ｆの適用対象である軟質容器１０Ｆにおいて、ポート１３は中心軸に対してずれた位置に配置され、言い換えれば中心軸に対して非対称に配置されるので、軟質容器１０Ｆの表裏側の取り付け間違いを防ぐことができる。より具体的には、例えば軟質容器１０Ｆのおもて面（例えば、軟質容器１０の側面１２Ｌ）に充填内容物等が印字されたラベルやシールが貼られた場合に、該おもて面が作業者側に面しないとポート１３を挟持板５１，５２の凹部５１ａ，５２ａに入らないようにすれば、軟質容器１０Ｆの表裏側の取り付け間違いを防止することができる。
【００７４】
＜第８実施形態＞
図１５は第８実施形態に係る充填装置を示す分解斜視図であり、図１６は第８実施形態に係る充填装置を示す断面図である。本実施形態に係る充填装置１Ｇは、固定治具２Ｇの構造において上述の第６実施形態と異なるが、その他の構造は第６実施形態と同様である。
【００７５】
具体的には、軟質容器１０Ｇは、異なる形状を有するポート１３及びポート１７を備えている。ここで、ポート１３は密閉栓１５を有するが、ポート１７は密閉栓を有しない例である。例えばポート１３の密閉栓１５よりも、ポート１７は外径が大きく形成されている。これに対し、固定治具２Ｇを構成する挟持板５１，５２において、ポート１７に対応する凹部５１ｃ，５２ｃは、ポート１３に対応する凹部５１ａ，５２ａよりも径が大きく形成されている。なお、ポート１７を密閉する際には、先端部を潰してヒートシールすることにより密閉する方法、ポート１７の内部に栓を入れて密閉する方法、ポート１７の端部をキャップ等で密閉する方法等を用いても良い。
【００７６】
本実施形態の充填装置１Ｇによれば、上述の第６実施形態と同様な作用効果を得られるほか、ポート１３とポート１７に対応する挟持板５１，５２の凹部５１ａ，５２ａと凹部５１ｃ，５２ｃの径も異なるので、上述の第７実施形態と同様に軟質容器１０Ｇの表裏側の取り付け間違いを防ぐことができる。
【００７７】
なお、軟質容器の表裏側の取り付け間違いを防止する方法としては、上述した内容のほか、ポート１３，１４の高さを変えることで行っても良い。例えば、図１に示す左右対称に配置されるポート１３及びポート１４の一方を他方よりも低くすることで、ポート１３，１４にそれぞれ形成された密閉栓１５の高さの位置を変える。そして、軟質容器の表裏側を反対にした状態ではポート１３，１４が挟持板の凹部に入らないような仕組みにすれば、軟質容器の表裏側の取り付け間違いを防止できる。
【００７８】
＜第９実施形態＞
図１７は第９実施形態に係る充填装置を示す分解斜視図であり、図１８は第９実施形態に係る充填装置を示す模式断面図である。本実施形態に係る充填装置１Ｈは、固定治具２Ｈの構造において上述の第１実施形態と異なるが、その他の構造は第１実施形態と同様である。
【００７９】
具体的には、軟質容器１０Ｈにおいて、上側シール部１１ａの左右両端部には貫通孔１８が１つずつ設けられ、下側シール部１１ｂの左右両端部には貫通孔１８が１つずつ設けられている。すなわち、軟質容器１０Ｈの四隅部には、貫通孔１８がそれぞれ１つずつ形成されている。
【００８０】
一方、該軟質容器１０Ｈを固定する固定治具２Ｈは、相対的に接近又は離間できる一対の挟持柱（挟持部材）５３，５４を一組とし、計２組を有するように構成されている。挟持柱５３において、軟質容器１０Ｈの上下方向に設けられた２つの貫通孔１８に対応する位置には、貫通孔１８に挿入可能な円錐台状の凸部５３ａがそれぞれ形成されている。一方、挟持柱５３に対向して配置された挟持柱５４には、挟持柱５３の凸部５３ａに嵌合する凹部５４ａが形成されている。
【００８１】
軟質容器１０Ｈは、貫通孔１８に挿入された凸部５３ａが挟持柱５４の凹部５４ａと嵌合することにより、挟持柱５３，５４に挟持された状態で固定されている。そして、収容室１２への内容物の充填に影響を与えないように、軟質容器１０Ｈの左側シール部１１ｃ及び右側シール部１１ｄのみが挟持柱５３，５４に挟まれている。
【００８２】
このように構成された充填装置１Ｈを用いた充填方法は、上述の第１実施形態と同様に、固定治具２Ｈに軟質容器１０Ｈを固定させる固定ステップと、引き離し治具３を利用して軟質容器１０Ｈの側面１２Ｌ，１２Ｒを互いに引き離す引き離しステップと、軟質容器１０Ｈのポート１３，１４を介して収容室１２の内部に内容物を充填する充填ステップと、を含む。
【００８３】
固定ステップでは、まず、挟持柱５３，５４を相対的に離間した状態で、軟質容器１０Ｈの４つの貫通孔１８に挟持柱５３側の凸部５３ａをそれぞれ挿入するように、該軟質容器１０Ｈを挟持柱５３に引掛ける。続いて、挟持柱５４の凹部５４ａと挟持柱５３の凸部５３ａとを嵌合するように挟持柱５４を挟持柱５３に接近して、更にこれらの挟持柱５３，５４を突き合わせた状態で図示しない締結部材等でこれらの挟持柱５３，５４を固定締結する。これによって、軟質容器１０Ｈは固定治具２Ｈに固定される。なお、引き離しステップ及び充填ステップ等は、上述の第１実施形態と同様のため、その説明を省略する。
【００８４】
本実施形態の充填装置１Ｈによれば、上述の第１実施形態と同様な作用効果を得られるほか、軟質容器１０Ｈは左右方向で２組の挟持柱５３，５４に挟持されるので、軟質容器１０Ｈをより安定した状態で固定することができる。
【００８５】
軟質容器について、上述した内容のほか、様々な変形例が考えられる。例えば図１９及び図２０に示す変形例では、軟質容器１０Ｊに設けられたポート１３，１４の下端は、更に収容室１２の内部まで延設されている。好ましくは、ポート１３，１４の延設端（すなわち、下端）が収容室１２の全体深さの２０％以上に延びており、より好ましくは５０％以上に延びている。このようにすれば、軟質容器１０の側面１２Ｌ及び側面１２Ｒの間にポート１３，１４が介在されるので、樹脂フィルム同士のくっつきを抑制することができる。更に、吸盤３Ｌ，３Ｒで側面１２Ｌ，１２Ｒ同士を引き離す際に、吸盤３Ｌと吸盤３Ｒとの間にポート１３，１４が介在されるので、吸盤３Ｌと吸盤３Ｒとの間の真空状態の発生を抑制し、吸盤同士のくっつきを防止できる。その結果、吸盤３Ｌ，３Ｒは中心位置が重なるように対向して配置された場合であっても、軟質容器１０の側面１２Ｌ，１２Ｒの引き離し作業をスムーズに行うことができる。
【００８６】
一方、ポート１３，１４の介在によって吸盤３Ｌ,３Ｒ同士の押し合う力の低下を招くことが考えられる。ここで、ポート１３，１４の介在による吸盤３Ｌ,３Ｒ同士の押し合いへの影響を抑制するために、ポート１３，１４は変形しやすい可撓性の材料に形成されることが好ましい。また、ポート１３，１４に切り込みを複数入れることで、変形させやすくしても良い。
【００８７】
また、図２１に示す変形例では、軟質容器１０Ｋの側面１２Ｌに取っ手５７、側面１２Ｒに取っ手５８がそれぞれ設けられている。取っ手５７，５８は、例えば長尺状の樹脂テープの両端部を熱溶着や接着で樹脂フィルムと固定し、両端部間の中間部を樹脂フィルムから遊離した状態で形成されている。このように構成された取っ手５７，５８を使うときに、遊離した中間部を上述した駆動機構に取り付けて使用して良く、或いは作業者が直接中間部を引っ張ることで側面１２Ｌ，１２Ｒ同士を引き離しても良い。この場合、上述した引き離し治具３を省くことができる。
【００８８】
＜充填用針の構造＞
以下、図２３を参照して充填用針４の構造を説明する。図２３に示すように、充填用針４は、内部に軸方向Ｌに延在する内容物流路４３が設けられた円筒状の針本体４１と、針本体４１から軸方向Ｌの前方に先細りするとともに、内容物流路４３と連通する内容物吐出口４４が設けられた針先部４２とを有する。内容物流路４３は、例えば断面円形状を呈しており、その直径は０．０５ｍｍ〜１．５ｍｍであることが好ましく、０．４ｍｍ〜１．０ｍｍであることがより好ましい。
【００８９】
針先部４２には、内容物流路４３を流れる内容物の流れ方向を軸方向Ｌに対して傾斜させるガイド壁部４２ａが設けられている。図２３に示すように、ガイド壁部４２ａは、針先部４２の先端部に配置されており、軸方向Ｌに対して所定の角度αで傾斜している。ここで、角度αは１５°〜３０°であることが好ましい。
【００９０】
従来の充填用針を用いて内容物を収容室の内部に充填する場合、内容物吐出口から出た内容物は、充填用針の軸方向Ｌに沿ってまっすぐに排出される。そして、軟質容器を形成する樹脂フィルム同士が静電気等でくっついて密着した場合、排出された内容物が内容物吐出口に跳ね返されやすく、内容物の逆流を招いてしまう。
【００９１】
一方、本実施形態の充填用針４では、内容物流路４３を流れる内容物の流れ方向を軸方向Ｌに対して傾斜させるガイド壁部４２ａが設けられるので、内容物吐出口４４から出た内容物が軸方向Ｌに対し傾斜して排出され、言い換えれば、内容物吐出口４４から出た内容物が軸方向Ｌの横方向に排出される。このため、仮に内容物が跳ね返されても、内容物吐出口４４に戻る量が少なくなるので、逆流を抑制することができる。更に、軸方向Ｌに対するガイド壁部４２ａの傾斜角度αは１５°〜３０°と設定された場合、跳ね返された内容物による内容物吐出口４４への戻りを防止でき、且つガイド壁部４２ａの設置による内容物流れの抵抗増加を抑制することができる。
【００９２】
充填用針４は、金属、ガラス又はプラスチック等の材料によって形成されて良く、接触による軟質容器１０へのダメージ等を抑制するために、少なくとも針先部４２の外側部分はプラスチックで形成されることが望ましい。
【００９３】
以上、本発明の実施形態について詳述したが、本発明は、上記の実施形態に限定されるものではなく、特許請求の範囲に記載された本発明の精神を逸脱しない範囲で、種々の設計変更を行うことができるものである。例えば、上述の実施形態では、固定治具と引き離し治具とを備える充填装置の例を説明したが、本発明は、固定治具及び引き離し治具のいずれか一方を備える充填装置にも適用される。
【符号の説明】
【００９４】
１，１Ａ，１Ｂ，１Ｃ，１Ｄ，１Ｅ，１Ｆ，１Ｇ，１Ｈ，１Ｊ    充填装置
２，２Ａ，２Ｂ，２Ｃ，２Ｄ，２Ｅ，２Ｆ，２Ｇ，２Ｈ    固定治具
３    引き離し治具
３Ｌ，３Ｒ    吸盤（吸着部）
４    充填用針
１０，１０Ａ，１０Ｂ，１０Ｃ，１０Ｄ，１０Ｆ，１０Ｇ，１０Ｈ，１０Ｊ，１０Ｋ    軟質容器
１１    シール部
１２    収容室
１２Ｌ，１２Ｒ    側面
１３，１４    ポート
１５    密閉栓
１６，１８    貫通孔
２１，２２    側壁部
２１ａ，２２ａ    開口部
４１    針本体
４２    針先部
４２ａ    ガイド壁部
４３    内容物流路
４４    内容物吐出口
５１，５２    挟持板（挟持部材）
５３，５４    挟持柱（挟持部材）
【図１】
2019131231.tif 000003
【図２】
2019131231.tif 000004
【図３】
2019131231.tif 000005
【図４】
2019131231.tif 000006
【図５】
2019131231.tif 000007
【図６】
2019131231.tif 000008
【図７】
2019131231.tif 000009
【図８】
2019131231.tif 000010
【図９】
2019131231.tif 000011
【図１０】
2019131231.tif 000012
【図１１】
2019131231.tif 000013
【図１２】
2019131231.tif 000014
【図１３】
2019131231.tif 000015
【図１４】
2019131231.tif 000016
【図１５】
2019131231.tif 000017
【図１６】
2019131231.tif 000018
【図１７】
2019131231.tif 000019
【図１８】
2019131231.tif 000020
【図１９】
2019131231.tif 000021
【図２０】
2019131231.tif 000022
【図２１】
2019131231.tif 000023
【図２２】
2019131231.tif 000024
【図２３】
2019131231.tif 000025